(57)【要約】【課題】ＧＰＳロギングデータメモリの容量が少ないかつ長秒撮影中で、ＧＰＳロギングデータ取得時間よりも露光時間が長い場合には、位置が変わらずに同じ場所で撮影してしまうという問題があり、余分なメモリを食ってしまうという問題があった。【解決手段】ＧＰＳロギングデータを取得する手段を有し、ＧＰＳロギングデータを取得する秒数を設定する手段を有し、露光時間を取得する手段を有し、その露光時間と設定したロギングデータを取得する秒数を比較する手段を有し、比較した結果露光時間の方が大きかった場合には、ＧＰＳロギングデータの取得時間を露光時間よりも大きい時間に設定する手段を有することを特徴とするデジタルスチルカメラ。【選択図】図１
2012104903.tif 000002
【特許請求の範囲】
【請求項１】
ＧＰＳロギングデータを取得する手段（Ｓ２０４、Ｓ２１４）を有し、ＧＰＳロギングデータを取得する秒数を設定する手段（Ｓ２０６）を有し、露光時間を取得する手段（Ｓ２１１）を有し、その露光時間と設定したロギングデータを取得する秒数を比較する手段（Ｓ２１１）を有し、比較した結果露光時間の方が大きかった場合には、ＧＰＳロギングデータの取得時間を露光時間よりも大きい時間に設定する手段（Ｓ２１２）を有することを特徴とするデジタルスチルカメラ。
【請求項２】
デジタルスチルカメラにおいて、ＧＰＳ機器との通信手段（１００５）をＵＳＢで行うことを特徴とする請求項１に記載のデジタルスチルカメラ。
【請求項３】
ＧＰＳ機器との通信手段（１００５）をＢｌｕｅｔｏｏｔｈで行うことを特徴とする請求項１に記載のデジタルスチルカメラ。
【請求項４】
ＧＰＳ機器との通信手段（１００５）をＩＥＥＥ１３９４で行うことを特徴とする請求項１に記載のデジタルスチルカメラ。
【請求項５】
ＧＰＳ機器との通信手段（１００５）をＲＳ２３２Ｃで行うことを特徴とする請求項１に記載のデジタルスチルカメラ。
【請求項６】
ＧＰＳ機器との通信手段（１００５）を無線ＬＡＮで行うことを特徴とする請求項１に記載のデジタルスチルカメラ。
【請求項７】
ＧＰＳ機器との通信手段（１００５）を有線ＬＡＮで行うことを特徴とする請求項１に記載のデジタルスチルカメラ。
【発明の詳細な説明】
【技術分野】
【０００１】
本発明は、数十秒おきにＧＰＳから取得した位置情報データをメモリに記録させる、ロギング機能を持つＧＰＳ（Ｇｌｏｂａｌ  Ｐｏｓｉｔｉｏｎｉｎｇ  Ｓｙｓｔｅｍ）装置、及びＧＰＳ装置が接続可能なデジタルスチルカメラ、ＧＰＳ機器を内蔵しロギング機能を持つデジタルスチルカメラに関する。
【背景技術】
【０００２】
近年ＧＰＳ機器が製品化され、ＧＰＳ機器と通信Ｉ／Ｆを介してデジタルスチルカメラと接続し、デジタルスチルカメラで画像撮影時、画像のＥＸＩＦ情報にＧＰＳ機器から受信したＧＰＳ位置情報データを付加する製品が発売されている。またそのＧＰＳ機器は数十秒おきにＧＰＳ位置情報データをメモリに記憶させ（ロギング）、その位置情報データをパーソナルコンピュータ（ＰＣ）に取り込み、ＰＣ上で取り込んだデータを例えば電子地図上で線で結び付けた軌跡を表示することが可能になっている。（例えば特許文献１参照）
またＧＰＳ機能を内蔵し、ロギングが可能なデジタルスチルカメラが製品化されている。
【先行技術文献】
【特許文献】
【０００３】
【特許文献１】特開平０６−３４８９８８号公報
【発明の概要】
【発明が解決しようとする課題】
【０００４】
しかし、数十秒おきにＧＰＳ機器から取得した位置情報データを記録させるメモリの容量が少ないかつ長秒撮影中で、ＧＰＳ機器から取得した位置情報データをメモリに記録させる時間間隔よりも露光時間が長い場合には、ＧＰＳ機器から受信した位置情報データが変わらずに同じ場所で撮影してしまい、同じデータをメモリに記録してしまうという問題があった。そのため余分なメモリを食ってしまうという問題あった。
【課題を解決するための手段】
【０００５】
ＧＰＳ機器から取得した位置情報データをメモリに記録させる手段を有し、ＧＰＳ機器から取得した位置情報データを取得する秒数を設定する手段を有し、露光時間を設定する手段を有し、その露光時間とＧＰＳ機器から取得した位置情報データを取得する秒数を比較する手段を有し、比較した結果露光時間の方が大きかった場合には、ＧＰＳ機器から取得した位置情報データの取得時間を露光時間よりも大きい時間に設定する手段を有することを特徴とするデジタルスチルカメラ
【発明の効果】
【０００６】
ＧＰＳ機器から同じ場所の位置情報データを記録することがなくなり、余分なメモリを食ってしまうことがなくなる。
【図面の簡単な説明】
【０００７】
【図１】本実施例１におけるＧＰＳ機器のブロック図
【図２】本実施例１におけるＧＰＳ機器の動作フローチャート
【図３】本実施例１におけるＧＰＳ機器とデジタルスチルカメラの接続図
【図４】本実施例１におけるＧＰＳ機器とＰＣの接続図
【図５】本実施例２におけるＧＰＳ機能を内蔵したデジタルスチルカメラのブロック図
【図６】本実施例２におけるデジタルスチルカメラの動作フローチャート
【発明を実施するための形態】
【０００８】
【実施例１】
【０００９】
まず、図３を用い、本実施例に係わるＧＰＳ機器とデジタルスチルカメラの接続形態について説明する。
【００１０】
１０００はデジタルスチルカメラのストロボ取り付け位置に固定されたＧＰＳ機器。３００２はデジタルスチルカメラ。３００３はＧＰＳ機器とデジタルスチルカメラを接続する通信方式に本実施例ではＵＳＢ通信方式を使用するため、ＵＳＢ通信ケーブルを使用するものとする。
【００１１】
次に、図４を用い、ＧＰＳ機器とＰＣの接続形態について説明する。１０００はＧＰＳ機器。４００２はＰＣ。４００３はＧＰＳ機器とＰＣを接続する通信方式に本実施例ではＵＳＢ通信方式を使用するため、ＵＳＢ通信ケーブルを使用するものとする。
【００１２】
次に、図１を用い、本実施例に係るＧＰＳ機器について説明する。
【００１３】
図１において、１０００は本発明のＧＰＳ機器。
【００１４】
１００１は、ＣＰＵで、ＧＰＳモジュール１００２から位置情報データを受信し、位置情報データを受信したＣＰＵは通信Ｉ／Ｆ１００５を介してデジタルスチルカメラにその位置情報データを通信し、デジタルスチルカメラは画像撮影時その情報を画像ファイルに付加する。またＧＰＳモジュール１００２から位置情報データを受信し、１５秒ごとに位置情報データをフラッシュメモリ１００４に記録させる。ＰＣから通信Ｉ／Ｆ１００５を介して記録された情報を要求された場合には、そのデータをフラッシュメモリ１００４からリードし、そのデータを通信Ｉ／Ｆ１００５を介してその情報を通信する。また電池残量ＬＥＤ１００６を点灯／点滅させ、捕捉状態を表示させるＬＥＤ１００７を点灯／点滅させる。また、ＤＩＳＰ釦１００８を押されたらＬＥＤ１００６、ＬＥＤ１００７をその状態に応じて点灯／点滅させる。電源スイッチ１００９の状態を検知し、システムの電源をＯＮする。本実施例ではＧＰＳ機器とカメラの通信Ｉ／ＦはＵＳＢを使用するものとする。
【００１５】
１００２は、地球を周回するＧＰＳ衛星から電波を受信し、位置を計算するＧＰＳモジュール。
【００１６】
１００３は、現在向いている方位を算出する電子コンパス。
【００１７】
１００４は、ＣＰＵ１００１からのリード／ライト／イレース命令等に応じて、データをリード／ライトし、ロギングデータを格納するフラッシュメモリ。
【００１８】
１００５は、ＣＰＵ１００１からの命令に応じて、ＧＰＳモジュールからの位置情報データを通信したり、電子コンパスからのデータを通信したり、フラッシュメモリに記録したロギングデータを通信する通信Ｉ／Ｆ。この通信Ｉ／Ｆは、本実施例では、ＵＳＢ  Ｉ／Ｆを用いるが、ＢｌｕｅＴｏｏｔｈ（商標）  Ｉ／ＦやＩＥＥＥ１３９４  Ｉ／Ｆ、ＲＳ２３２Ｃ通信Ｉ／Ｆ、無線ＬＡＮＩ／Ｆ、有線ＬＡＮＩ／Ｆであってもよい。
【００１９】
１００６は、電池残量が少ない場合には２秒間点滅し、少なくない場合には２秒間点灯させる電池残量ＬＥＤ。またこのＬＥＤはＤＩＳＰ釦１００８が押されると、その状態に応じてＬＥＤを点灯／点滅させる。
【００２０】
１００７は、ＧＰＳ捕捉中の場合には点滅し、捕捉完了した場合には２秒間点灯させ消灯し、その後１５秒に１回点灯させるＧＰＳ捕捉ＬＥＤ。またこのＬＥＤはＤＩＳＰ釦１００８が押されると、その状態に応じてＬＥＤを点灯／点滅させる。
【００２１】
１００８は、電池残量、ＧＰＳ捕捉状態の状態を知りたい場合に押し、ＬＥＤ１００６、ＬＥＤ１００７の点灯／点滅をさせるＤＩＳＰ釦。
【００２２】
１００９は、ＧＰＳ機器を起動／終了させたい場合にスライドさせる電源スイッチ。
【００２３】
１０１０は、ＧＰＳ機器に電源を供給する電池。
【００２４】
１０１１は、位置情報データを一時的に記憶させるＲＡＭ。
【００２５】
次に図２を用いて本実施例におけるＧＰＳ機器の動作に関して説明する。
【００２６】
まず、電源ＳＷ１００９をスライドさせ、電源をＯＮする（Ｓ２０１）。次にＧＰＳの初期化を行う。この際ロギングデータを記録する間隔を設定する。今回は仮にＴ＝１５秒と設定する（Ｓ２０２）。次にＧＰＳモジュールが測位可能かどうか判断し（Ｓ２０３）、ＧＰＳモジュールが測位可能ならば、位置情報データ（緯度／経度／高度／ＵＴＣ時間）をフラッシュメモリ１００４に記憶させる（Ｓ２０４）。これで１回目のロギングデータの記録を行ったことになる。次にロギングメモリデータを取得する時間が経過したかどうか判断し（今回の場合Ｔ＝１５秒）（Ｓ２０５）次にシャッターが半押しされるとデジタルスチルカメラ３００２は露光時間を計算し決定するため、次にシャッターが半押しされたどうかを判別する（Ｓ２１０）。半押しされたならば、デジタルスチルカメラ３００２からＵＳＢ  Ｉ／Ｆ１００５を介して露光時間を通信し、ＧＰＳ機器はその露光時間を受信し、露光時間が設定値以上（今回はＴ＝１５秒以上）だったならば（Ｓ２１１）ロギング間隔を露光時間よりも大きな値に設定する（Ｓ２１２）。  今回はＴ＝３０秒に設定する。そしてＴ＝３０秒経過したならば、ロギングメモリ（フラッシュメモリ１００４）に位置情報データを記録する（Ｓ２１４）。次にロギングメモリの間隔がＴ＝３０秒でよいかどうか判断し（Ｓ２０７）、Ｔ＝３０秒でよくなければ、間隔を設定しなおす（Ｓ２０８）。Ｔ＝３０秒でよければそのままとする。次に電源ＯＦＦするかどうか判断し（Ｓ２０９）、電源ＯＦＦしないならば、またＴ秒経過したかどうか判断する（Ｓ２０５）。
【００２７】
またＳ２０５でロギングデータの経過時間がＴ秒に達していたならば、ロギングメモリ（フラッシュメモリ１００４）に位置情報データを記録する（Ｓ２０６）。次にロギングメモリの間隔がＴ秒でよいかどうか判断し（Ｓ２０７）、Ｔ秒でよくなければ、間隔を設定しなおす（Ｓ２０８）。Ｔ秒でよければそのままとする。次に電源ＯＦＦするかどうか判断し（Ｓ２０９）、電源ＯＦＦしないならば、またＴ秒経過したかどうか判断する（Ｓ２０５）。
【００２８】
以上の説明したように、シャッター半押しで決定した露光時間を取得する手段を有し、その露光時間と設定したロギングデータを取得する秒数を比較する手段を有し、比較した結果露光時間の方が大きかった場合には、ＧＰＳロギングデータの取得時間を露光時間よりも大きい時間に設定することにより、無駄なメモリを使用しないようにすることが可能になる。
【実施例２】
【００２９】
実施例１では、シャッター半押しにより露光時間の設定値を取得しにいったが、それだけでなく、メイン電子ダイヤルによりシャッタースピード（ＴＶ値）を変えた場合、カメラの撮影モードダイヤルを変更し、ＴＶ値が変わった場合でもよい。また実施例１ではＧＰＳ機器とデジタルスチルカメラが別々の製品で構成されていたが、デジタルスチルカメラにＧＰＳモジュールが内蔵された製品であってもよい。その説明を以下に記載する。
【００３０】
図５を用い、本実施例に係るデジタルスチルカメラについて説明する。
【００３１】
図５において、１００１２は撮像素子１００１４への露光量を制御するためのメカシャッター、１００１４は光学像を電気信号に変換する撮像素子である。レンズ１０３１０に入射した光線は、一眼レフ方式によって、絞り１０３１２、レンズマウント１０３０６及び１０１０６、ミラー１０１３０、メカシャッター１００１２を介して導き、光学像として撮像素子１００１４上に結像することが出来る。
【００３２】
１００１６は撮像素子１００１４のアナログ信号出力をディジタル信号に変換するＡ／Ｄ変換器である。
【００３３】
１００１８は撮像素子１００１４へ電子シャッター制御信号やクロック信号、  Ａ／Ｄ変換器１００１６に制御信号やクロック信号を供給するタイミング発生部であり、メモリ制御部１００２２及びデジタル部システム制御部１００５１により制御される。
【００３４】
１００５１はデジタルスチルカメラのデジタル部を制御するデジタル部システム制御部であり、カメラ部システム制御部１００５０と相互に通信可能である。このデジタル部システム制御部１００５１は、画像表示部１００２８のデータ表示を制御する。またＧＰＳモジュールから受信した位置情報データを撮影データのＥＸＩＦ情報に記録することや、ロギングデータをＲＯＭ１００６０に記録することも行う。
【００３５】
１００２０は画像処理部であり、  Ａ／Ｄ変換器１００１６からのデータ或いはメモリ制御部１００２２からのデータに対して所定の画素補間処理や色変換処理を行い、また画像処理中かどうかをデジタル部システム制御部１００５１に通知する。また、画像処理部１００２０においては、必要に応じて、撮像した画像データを用いて所定の演算処理を行い、得られた演算結果に基づいてシステム制御部１００５０が露光制御手段１００４０、測距制御手段１００４２に対して制御を行う、ＡＥ（自動露出）処理、ＥＦ（フラッシュ調光）処理を行うことが出来る。また、画像処理部１００２０においては、撮像した画像データを用いて所定の演算処理を行い、得られた演算結果に基づいてＴＴＬ方式のＡＷＢ（オートホワイトバランス）処理も行っている。
【００３６】
１００２８はＴＦＴ  ＬＣＤ等から成る画像表示部（Ｖｉｄｅｏコントローラを含む）であり、メニュー、撮影画像データ等を表示する。
【００３７】
１００５４はカメラ部システム制御部１００５０でのプログラムの実行に応じて、文字、画像、音声等を用いて動作状態やメッセージ等を表示する液晶表示装置、スピーカー等の表示部であり、デジタルカメラ１０１の操作部近辺の視認し易い位置に単数或いは複数個所設置され、例えばＬＣＤやＬＥＤ、発音素子等の組み合わせにより構成されている。また、表示部１００５４の表示内容のうち、光学ファインダー１０１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００３８】
１００６０はモードダイヤルで、ユーザーが撮影したいシーンに合わせて撮影モードを変更し、撮影するダイヤルである。また、このダイヤルを変更することで、シーンに合わせたＡｖ値、Ｔｖ値に自動的に変更になる。
【００３９】
１００６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。ここで露光時間が決定され、この設定された露光時間で撮影が行われる。
【００４０】
１００６４はシャッタースイッチＳＷ２で、不図示のシャッターボタンの操作完了でＯＮとなり、撮像素子１００１２から読み出した信号をＡ／Ｄ変換器１００１６、メモリ制御部１００２２を介してＲＡＭ１００３０に画像データを書き込む露光処理、画像処理部１００２０やメモリ制御部１００２２での演算を用いた現像処理、ＲＡＭ１００３０から画像データを読み出し、圧縮・伸長部１００３２で圧縮を行い、記録媒体１０２００或いは１０２１０に画像データを書き込む記録処理という一連の処理の動作開始を指示する。
【００４１】
１００７０は各種ボタンやタッチパネル、メイン電子ダイヤル等からなる操作部で、メニューボタン、ＴＶ値、ＡＶ値等を設定可能なメイン電子ダイヤル等で構成される。
【００４２】
１０１０４は光学ファインダであり、レンズ１０３１０に入射した光線を、一眼レフ方式によって、絞り１０３１２、レンズマウント１０３０６及び１０１０６、ミラー１０１３０及び１０１３２を介して導き、光学像として結像表示することが出来る。これにより、画像表示部１００２８による電子ファインダー機能を使用すること無しに、光学ファインダ１０１０４のみを用いて撮影を行うことが可能である。また、光学ファインダー１０１０４内には、表示部１００５４の一部の機能、例えば、合焦表示、手振れ警告表示、フラッシュ充電表示、シャッタースピード表示、絞り値表示、露出補正表示などが設置されている。
【００４３】
１０１１０はデジタルスチルカメラとパソコン、デジタルカメラとアクセスポイント、デジタルカメラ同士でと無線接続するための無線通信部である。実際には通信部はＩＥＥＥ８０２．１１ａ／ｂ／ｇからなる。
【００４４】
１０１１２は通信手段１０１１０によりデジタルスチルカメラを他の機器と接続するアンテナである。
【００４５】
１０１３０、１０１３２はミラーで、レンズ１０３１０に入射した光線を、一眼レフ方式によって光学ファインダ１０１０４に導くことが出来る。
【００４６】
１０６００はＲＯＭで、デジタルスチルカメラのプログラムを格納し、またＧＰＳモジュール１０６０１で取得した位置情報データ（ロギングデータ）を記録する。
【００４７】
１０６０１は、ＧＰＳモジュールで位置情報データを測位することにより取得し、デジタルシステム制御部１００５１に測位ができたことを通知する。
【００４８】
次に図６を用いて本実施例２におけるＧＰＳ機能を内蔵したデジタルスチルカメラの動作に関して説明する。
【００４９】
まず、電源スイッチ１００８０をスライドさせ、電源をＯＮする（Ｓ６０１）。次にＧＰＳの初期化を行う。この際ロギングデータを記録する間隔を設定する。今回は仮にＴ＝１５秒と設定する（Ｓ６０２）。次にＧＰＳモジュールが測位可能かどうか判断し（Ｓ６０３）、ＧＰＳモジュールが測位可能ならば、位置情報データ（緯度／経度／高度／ＵＴＣ時間）をＲＯＭ１０６００に記憶させる（Ｓ６０４）。これで１回目のロギングデータの記録を行ったことになる。次にロギングメモリデータを取得する時間が経過したかどうか判断する（今回の場合Ｔ＝１５秒）（Ｓ６０５）。経過していないならば、メイン電子ダイヤル１００７０によりＴＶ値が変更されたか、もしくは、モードダイヤル１００６０で撮影モードが変更されＴＶ値が変更されたならば（Ｓ６０８）、次にシャッターが半押しされるとデジタルスチルカメラ３００２は露光時間を計算し決定するため、次にシャッターが半押しされたどうかを判別する（Ｓ６０９）。半押しされたならば、カメラシステム制御部１００５０から露光時間を取得し、デジタルシステム制御部１００５１はその露光時間を受信し、露光時間が設定値以上（今回はＴ＝１５秒以上）だったならば（Ｓ６１０）ロギング間隔を露光時間よりも大きな値に設定する（Ｓ６１１）。今回はＴ＝３０秒に設定する。そしてＴ＝３０秒経過したならば、ＲＯＭ１０６００に位置情報データを記録する（Ｓ６１３）。次にロギングメモリの間隔がＴ＝３０秒でよいかどうか判断し（Ｓ６０７）、Ｔ＝３０秒でよくなければ、間隔を設定しなおす（Ｓ６０８）。Ｔ＝３０秒でよければそのままとする。次に電源ＯＦＦするかどうか判断し（Ｓ６０９）、電源ＯＦＦしないならば、またＴ秒経過したかどうか判断する（Ｓ６０５）。
【００５０】
またＳ６０５でロギングデータの経過時間がＴ秒に達していたならば、ＲＯＭ１０６００に位置情報データを記録する（Ｓ６０６）。次にロギングメモリの間隔がＴ秒でよいかどうか判断し（Ｓ６０７）、Ｔ秒でよくなければ、間隔を設定しなおす（Ｓ６０８）。Ｔ秒でよければそのままとする。次に電源ＯＦＦするかどうか判断し（Ｓ６０９）、電源ＯＦＦしないならば、またＴ秒経過したかどうか判断する（Ｓ６０５）。
【００５１】
以上でメイン電子ダイヤルによりＴＶ値を変えた場合、カメラの撮影モードダイヤルを変更し、ＴＶ値が変わった場合、デジタルスチルカメラにＧＰＳモジュールが内蔵された製品について説明したことになる。
【００５２】
以上の説明したように、メイン電子ダイヤルによりＴＶ値を変えた場合、カメラの撮影モードダイヤルを変更し、ＴＶ値が変わった場合、露光時間を取得する手段を有し、またその露光時間と設定したロギングデータを取得する秒数を比較する手段を有し、比較した結果露光時間の方が大きかった場合には、ＧＰＳロギングデータの取得時間を露光時間よりも大きい時間に設定することにより、無駄なメモリを使用しないようにすることが可能になる。
【符号の説明】
【００５３】
１０００  ＧＰＳ機器
１００１  ＣＰＵ
１００２  ＧＰＳモジュール
１００４  フラッシュメモリ
１００５  通信Ｉ／Ｆ
１０１１  ＲＡＭ
【図３】
2012104903.tif 000003
【図１】
2012104903.tif 000004
【図２】
2012104903.tif 000005
【図４】
2012104903.tif 000006
【図５】
2012104903.tif 000007
【図６】
2012104903.tif 000008